(57)【要約】　　　（修正有）【課題】本来的なクリック感を確実に得ることができ、操作性の高い電池収納部用蓋部材及び携帯型機器を提供する。【解決手段】電池収納部用蓋部材２８の接点板４２には、電池３０の正極３０Ｐに接触する接点凸部４４が形成され、さらに、接点凸部４４よりもスライド方向奥側に、接点凸部４４を略同形状とされた押圧凸部４６が形成されている。電池収納部用蓋部材２８を矢印Ｓ方向にスライドさせると、電池３０は、まず、押圧凸部４６によって押圧されて上方へ移動し、さらに接点凸部４４によって連続して押圧されて上方に移動した状態に維持されるので、接点凸部４４が電池から押圧されることによる擬似的なクリック感が発生せず、本来のクリック感をのみを確実に感じることで、高い操作性を得ることができる。【選択図】　　　　図２
2004111319.tif 000002
【特許請求の範囲】
【請求項１】
電池収納部を備えた機器本体に取り付けられ、電池収納部に収納された電池の長手方向と直交する方向にスライド可能とされた電池収納部用蓋部材であって、
前記電池収納部を閉塞した状態で電池の極に接触する接点部材と、
前記接点部材が電池の極に接触して電池電池収納部を閉止した閉止状態となるときに、スライドに対するクリック感を発生させるクリック部材と、
スライドによって前記接点部材が電池の極に接触する前に、電池を押圧して前記長手方向に移動させる押圧部材と、
を有することを特徴とする電池収納部用蓋部材。
【請求項２】
電池収納部を備えた機器本体と、
前記機器本体に取り付けられた請求項１に記載の電池収納部用蓋部材と、
を有することを特徴とする携帯型機器。
【発明の詳細な説明】
【０００１】
【発明の属する技術分野】
本発明は、電池収納部用蓋部材及び携帯型機器に関する。
【０００２】
【従来の技術】
従来の携帯型機器の一例として、小型テープレコーダーを例に挙げて説明する。
【０００３】
図５には、従来の小型テープレコーダー１１２の構成が示されている（特許文献１参照）。この小型テープレコーダー１１２では、電池収納室１１４に電池１１６を収納した状態で、電池蓋１１８を矢印Ｓ方向にスライドさせて、開口部１１６Ａを閉止する。閉止状態で、電池蓋１１８に設けられた電池端子１２０が電池１１６の極と接触している。
【０００４】
ところで、このような構造では、電池蓋１１８をスライドさせて開口部１１６Ａを完全に閉止するときに、閉止状態に至る直前にいわゆるクリック感が生じるようにして、操作性を高めることがある。
【０００５】
しかし、図５に示した構造のものでは、クリック感が生じるときに、電池端子１２０が電池１１６の極に乗り上げて擬似的なクリック感が発生することがあるため、本来のクリック感を確実に得ることができず、操作性が低下することがあった。
【０００６】
【特許文献１】
特開平１１−２２４６５４号公報
【０００７】
【発明が解決しようとする課題】
本発明は、上記事実を考慮し、本来的なクリック感を確実に得ることができ、操作性の高い電池収納部用蓋部材及び携帯型機器を得ることを課題とする。
【０００８】
【課題を解決するための手段】
請求項１に記載の発明では、電池収納部を備えた機器本体に取り付けられ、電池収納部に収納された電池の長手方向と直交する方向にスライド可能とされた電池収納部用蓋部材であって、前記電池収納部を閉塞した状態で電池の極に接触する接点部材と、スライドによって前記接点部材が電池の極に接触する前に、電池を押圧して前記長手方向に移動させる押圧部材と、を有することを特徴とするを有することを特徴とする。
【０００９】
この電池収納部用蓋部材では、スライドさせることによって接点部材を電池の極（正極又は負極）に接触させると共に、電池収納部を閉止して、電池収納部用蓋部材が閉止状態となる。閉止状態となるときに、クリック部材がクリック感を発生させる。
【００１０】
また、スライド途中で、接点部材が電池の極に接触する前に、押圧部材が電池を押圧して、その長手方向に移動させる。したがって、電池収納部用蓋部材が閉止状態となるときの、電池から電池収納部用蓋部材に作用する押圧力が小さくなり、擬似的なクリック感が小さくなる（好ましくは発生しなくなる）。これにより、クリック部材による本来的なクリック感を確実に得ることができ、操作性が向上する。
【００１１】
請求項２に記載の発明では、電池収納部を備えた機器本体と、前記機器本体に取り付けられた請求項１に記載の電池収納部用蓋部材と、を有することを特徴とする。
【００１２】
この携帯型機器では、電池収納部に電池を収納した状態で、電池収納部用蓋部材によって電池収納部を閉止することができる。請求項１に記載の電池収納部用蓋部材を採用しているので、クリック部材による本来的なクリック感を確実に得ることができ、操作性が向上する。
【００１３】
【発明の実施の形態】
図１には、本発明の第１実施形態の携帯型機器であるデジタルスチルカメラ１２が示されている。また、図２には、このデジタルスチルカメラ１２の電池収納部２６及び電池収納部用蓋部材２８が、部分的に断面図にて示されている。
【００１４】
デジタルスチルカメラ１２は、筐体１４を有している。筐体１４は、略箱状に形成されており、前面１４Ｆ側に、撮影用レンズ１６、撮影用発光部材１８（いわゆるストロボ）、及びファインダー受光部２０等の部材が設けられている。また、上面１４Ｔにはシャッタースイッチ２２が、背面１４Ｂには液晶ディスプレイ２４が設けられている。デジタルスチルカメラ１２の使用者は、液晶ディスプレイ２４の画像を見ながら（又は背面１４Ｂの図示しないファインダー内の画像を見ながら）、シャッタースイッチ２２を押して、画像を撮影することができる。
【００１５】
筐体１４内には、一方の側面１４Ｓの近傍に、電池収納部２６が設けられている。電池収納部２６は、１又は複数本の電池３０を所定の向きに収納することができるようになっている。本実施形態では２本の電池３０を立て向きに２本、、平行に収納するようにしているが、図２では、このうち側面１４Ｓに近い電池３０のみを示している。この電池３０は、正極３０Ｐが底面１４Ｂ側になるように収納される。
【００１６】
筐体１４の底面１４Ｂは、電池収納部２６に対応した部分が開口された開口部３２をされており、この開口部３２側、すなわち底面１４Ｂ側から、電池３０を電池収納部２６に収納することができる。
【００１７】
筐体１４の底面１４Ｂには、電池収納部用蓋部材２８が取り付けられている。図２（Ａ）〜（Ｃ）に示すように、電池収納部用蓋部材２８は、開口部３２を閉塞する蓋本体３４と、蓋本体３４から延出されたガイド用部材３６とで構成されている。ガイド用部材３６からは、互いに離間する方向に案内ピン３８が突設されており、筐体１４に形成された案内溝４０に案内ピン３８が収容されている。案内ピン３８が案内溝４０で案内されることで、電池収納部用蓋部材２８は、開口部３２を完全に閉止した閉止状態（図２（Ｃ）参照）と、開口部３２を部分的に開放した中間状態（図２（Ｂ）参照）との間を、矢印Ｓ方向及びその反対方向にスライドする。
【００１８】
さらに、筐体１４内には、電池収納部用蓋部材２８が中間状態にあるときに案内ピン３８周りに回動させる、図示しない回動部を有している。したがって、電池収納部用蓋部材２８を中間状態から回動させて、図２（Ａ）に示すように開口部３２を完全に開放した状態（開放状態）とすることができる。
【００１９】
また、ガイド用部材３６には、クリック凸部４８が形成されており、これに対し、筐体１４内には、電池収納部用蓋部材２８が中間状態から矢印Ｓ方向にスライドし、閉止状態に至るとき（またはその直前）に、クリック凸部４８に接触する図示しないクリック部が形成されている。これにより、電池収納部用蓋部材２８が閉止状態に至るとき（またはその直前）に、電池収納部用蓋部材２８のスライドに対して適度なクリック感が生じる。したがって、デジタルスチルカメラ１２のユーザーは、電池収納部用蓋部材２８をスライドさせ、スライドの最後の段階でこのクリック感を感じつつ電池収納部用蓋部材２８を閉止状態とすることができる。閉止状態では、図示しないロック部材によって電池収納部用蓋部材２８がロックされ、不用意にスライドや回動することなく、閉止位置に維持されるようになっている。
【００２０】
電池収納部用蓋部材２８の蓋本体３４には、電池収納部２６に収納された電池３０に対向するように、接点板４２が取り付けられている。接点板４２は、電池３０の正極３０Ｐ又は負極３０Ｍに接触してこれらを導通させ、デジタルスチルカメラ１２の本体に給電可能とする。特に、電池３０の正極３０Ｐに対応した箇所には接点凸部４４が形成されており、正極３０Ｐに確実に接触するようになっている。
【００２１】
また、図２（Ａ）〜（Ｃ）から分かるように、接点板４２には、接点凸部４４よりも奥側（ガイド用部材３６側）に、接点凸部４４を略同形状とされた押圧凸部４６が形成されている。したがって、電池収納部用蓋部材２８を中間状態から閉止状態へとスライドさせる途中で、まず押圧凸部４６が電池３０の正極３０Ｐに接触して電池３０をその長手方向に押圧し、次いで、接点凸部４４が正極３０Ｐに同様に接触して、その電池３０を長手方向に押圧する。押圧凸部４６と接点凸部４４との間隔は、押圧凸部４６によって押圧された電池３０が、電池収納部用蓋部材２８のすらいどによって一時的に押圧解除されさらに接点凸部４４で押圧されることなく、押圧凸部４６と接点凸部４４とで連続して押圧されるように、電池３０の正極３０Ｐの径との関係において、所定の間隔とされている。
【００２２】
次に、本実施形態のデジタルスチルカメラ１２の作用を説明する。
【００２３】
デジタルスチルカメラ１２に電池収納部２６に電池３０を収納するときには、まず、図２（Ａ）に示すように電池収納部用蓋部材２８を開放状態とし、電池収納部２６に下側から電池３０を挿入する。
【００２４】
そして、図２（Ｂ）に示すように、電池収納部用蓋部材２８を回動させて中間状態とする。この中間状態のとき、又は、中間状態から電池収納部用蓋部材２８をスライドさせて閉止状態へと移動させる途中で、押圧凸部４６が電池３０の正極３０Ｐに接触し、電池３０を電池収納部用蓋部材２８が離間する方向（上方向）へと押し上げる。このときには、電池収納部用蓋部材２８は閉止状態になっておらず、クリック感は発生していない。
【００２５】
そして、さらに電池収納部用蓋部材２８を矢印Ｓ方向にスライドさせ、図２（Ｃ）に示すように閉止状態とする。デジタルスチルカメラ１２のユーザーは、このスライドの最後の段階でクリック感を感じつつ電池収納部用蓋部材２８を閉止状態とすることができる。このとき、電池３０は、押圧凸部４６及び接点凸部４４によって連続して押圧されて上方に移動した状態に維持されており、上記のクリック感が作用するときには、接点凸部４４が電池３０から反作用として押圧されることがない。すなわち、接点凸部４４が電池から押圧されることによる擬似的なクリック感が発生せず、クリック凸部４８と筐体１４側の図示しないクリック部とによる本来のクリック感をのみを確実に感じることで、高い操作性を得ることができる。
【００２６】
図３には、本発明の第２実施形態のデジタルスチルカメラが、部分的な断面図にて示されている。このデジタルスチルカメラでは、電池収納部用蓋部材２８に設けられた接点板５２の形状のみが第１実施形態のデジタルスチルカメラ１２と異なっているが、他は同一の構成とされているので、その詳細な説明を省略する。
【００２７】
第２実施形態の接点板５２では、第１実施形態の接点板４２の押圧凸部４６と接点凸部４４と（図２参照）とを一体化して、これらが連続した形状の一体化凸部５４が形成されている。このような形状であっても、第１実施形態と同様に、擬似的なクリック感が発生せず、クリック凸部４８と図示しないクリック部とによる本来のクリック感をのみを確実に感じることで、高い操作性を得ることができる。
【００２８】
図４には、本発明の第３実施形態のデジタルスチルカメラが、図２と同様の部分的な断面図にて示されている。このデジタルスチルカメラも、電池収納部用蓋部材２８に設けられた接点板６２の形状のみが第１実施形態のデジタルスチルカメラ１２と異なっているが、他は同一の構成とされているので、その詳細な説明を省略する。
【００２９】
第３実施形態の接点板６２では、第１実施形態の押圧凸部４６に変えて、押圧テーパー部６６が形成されている。押圧テーパー部６６は、接点凸部４４からガイド用部材３６に向かって次第に高さが低くなるように傾斜されている。したがって第３実施形態では、電池収納部用蓋部材２８を中間状態から閉止状態へとスライドさせる動作に連動して、徐々に電池３０を押圧して上方へ移動させることができる。そして、第１実施形態と同様に、擬似的なクリック感が発生せず、クリック凸部４８と図示しないクリック部とによる本来のクリック感のみを確実に感じることで、高い操作性を得ることができる。
【００３０】
以上説明したように、本発明のいずれの実施形態においても、電池収納部用蓋部材をスライドさせる途中で擬似的なクリック感が発生しないので、本来的なクリック感のみを確実に感じ、高い操作性を得ることができる。特に、携帯型機器のなかには、電池収納部２６の内部にバネ等の付勢手段を設け、電池３０を接点板４２に向かって付勢することで、接点板４２との接触性を向上させる構造のものがある。このような構造では、上記した擬似的なクリック感が大きくなるおそれがあるが、本発明の構成を適用すれば、擬似的なクリック感が発生しなくなるので、操作性を向上させる効果がより顕著となり、好ましい。
【００３１】
なお、上記説明では、本発明の携帯型機器としてデジタルスチルカメラを例に挙げたが、携帯型機器はこれに限定されない。たとえば、銀塩カメラなどの撮像装置を挙げることができる。さらには、動画を撮影可能な動画撮影装置、いわゆるヘッドフォンステレオなどの音声再生装置、携帯型ゲーム機、携帯型ラジオなどの携帯型受信機、携帯型トランシーバーなどの携帯型無線機、「ＰＤＡ」と称される個人情報機器（Ｐｅｒｓｏｎａｌ　Ｄｉｇｉｔａｌ　Ａｓｓｉｓｔａｎｔ）、携帯電話なども、本発明の携帯型機器に含まれる。また、実際の使用状況において、携帯して使用されるか、若しくは据え置いて使用されるかは特に問わず、携帯可能に構成されていればよい。
【００３２】
【発明の効果】
本発明は上記構成としたので、本来的なクリック感を確実に得ることができ、操作性が高くなる。
【図面の簡単な説明】
【図１】本発明の第１実施形態のデジタルスチルカメラを示す斜視図である。
【図２】本発明の第１実施形態のデジタルスチルカメラを一部破断して示す拡大断面図であり、（Ａ）は開放状態、（Ｂ）は中間状態、（Ｃ）は閉止状態である。
【図３】本発明の第２実施形態のデジタルスチルカメラを一部破断して示す中間状態の拡大断面図である。
【図４】本発明の第３実施形態のデジタルスチルカメラを一部破断して示す中間状態の拡断面大図である。
【図５】従来の小型テープレコーダーを部分的に断面にして示す断面図である。
【符号の説明】
１２　　デジタルスチルカメラ（携帯型機器）
１４　　筐体（機器本体）
２６　　電池収納部
２８　　電池収納部用蓋部材
３０　　電池
３２　　開口部
３４　　蓋本体
３６　　ガイド用部材
４２　　接点板
４４　　接点凸部（接点部材）
４６　　押圧凸部（押圧部材）
４８　　クリック凸部（クリック部材）
５２　　接点板
５４　　一体化凸部（接点部材、押圧部材）
６２　　接点板
６６　　押圧テーパー部（押圧部材）
【図１】
2004111319.tif 000003
【図２】
2004111319.tif 000004
【図３】
2004111319.tif 000005
【図４】
2004111319.tif 000006
【図５】
2004111319.tif 000007